(57)【要約】【解決手段】通信システムにおいて、送信電力と送信データ転送速度を制御して送信電力の変動を制御する。送信のためのデータは、データストレージキューにキューイングされる。キュー内のデータ量はキュー長により表される。キュー長が所定の範囲内にあるとき、キューイングされたデータは、第１電力レベルおよびデータ転送速度で送信される。キュー長が所定範囲外であると判断されると、送信電力とデータ転送速度に対して対応する変更が行われる。キュー長が所定の上限値を超えると、送信電力とデータ転送速度が増加される。キュー長が所定の下限値未満のとき、送信電力とデータ転送速度は減少される。さらなる観点において、送信電力とデータ転送速度に対する変更の大きさは、キュー長が所定の範囲外ある大きさに、少なくとも一部基づいている。
2005534232.tif 000002
【特許請求の範囲】
【請求項１】
下記を具備する、送信データ転送速度を変更する方法：
第１の時間において、第１の電力レベルおよび第１のデータ転送速度で、キューにキューイングされたデータを送信する；
第２の時間において、前記キューの前記キュー長は、所定の範囲外かどうか判断する；および
前記判断が肯定的なら、前記キューにキューイングされたデータを第２のデータ転送速度で送信する、前記第２のデータ転送速度は、前記キュー長が前記所定の範囲外にある量に少なくとも一部基づいて選択される。
【請求項２】
第２の電力レベル送信することをさらに具備し、前記第２の電力レベルは、前記第２のデータ転送速度を獲得することと一致する、請求項１の方法。
【請求項３】
判断は、前記キュー長が前記下限値を下回るかどうか判断することを具備する、請求項１の方法。
【請求項４】
前記第２の時間において、前記キュー長が前記下限値を下回るなら、前記データは、前記第１の電力レベル未満である第２電力レベルで送信される、前記第２電力レベルは、前記キュー長が前記下限値を下回る量に少なくとも一部基づく、請求項３の方法。
【請求項５】
判断は、前記キュー長が上限値を上回るかどうか判断することを具備する、請求項１の方法。
【請求項６】
前記第２の時間において、前記キュー長が前記上限値を上回るなら、前記第２電力レベルは前記第１電力レベルより大きく、前記第２電力レベルは、前記キュー長が前記上限値を上回る量に少なくとも一部もとづく、請求項５の方法。
【請求項７】
下記を具備するデータを送信する方法：
公称送信電力および公称データ転送速度を確立する；
送信のためのデータ量をキューに記憶する、前記キュー内のデータ量はいつでもキュー長を表す；
前記キュー長を監視する；
前記キュー長が第１の所定量より大きいなら前記データ転送速度を増加する；および
前記キュー長が第２の所定量未満なら、前記データ転送速度を減少する。
【請求項８】
前記キュー長が第１の所定量より大きければ前記送信電力を増加することをさらに具備する、請求項７の方法。
【請求項９】
前記キュー長が第２の所定量未満なら前記送信電力を減少することをさらに具備する、請求項８の方法。
【請求項１０】
前記第１の所定量を上限値レジスターに記憶し、前記第２の所定量を下限値レジスターに記憶する、請求項９の方法。
【請求項１１】
下記を具備する、通信プロセスを制御する方法：
受取人に送信される記憶されたデータの量を決定する；
第１の時間量に少なくとも一部基づいて公称値からの送信データ転送速度を変更する、前記第１の時間量は、記憶されたデータを送信するのに必要な時間である；および
前記記憶されたデータの少なくとも一部を前記変更された送信データ転送速度で送信する。
【請求項１２】
前記送信データ転送速度の変更は、前記第１の時間量が第１の所定の時間量より大きければ、前記送信データ転送速度を増加することを具備する、請求項１１の方法。
【請求項１３】
前記送信データ転送速度を変更することは、前記第１の時間量が第２の所定の時間量未満であるなら前記送信データ転送速度を減少することを具備する、請求項１１の方法。
【請求項１４】
前記送信データ転送速度を変更することは、前記第１の時間量が第１の所定の時間量より大きいなら、前記送信データ転送速度増加し、前記第１の時間量が第２の所定の時間量未満なら、前記送信データ転送速度を減少することを具備する、請求項１１の方法。
【請求項１５】
前記第１および第２の所定の時間量は同じである、請求項１４の方法。
【請求項１６】
前記第２の所定の時間量は、空のキューを回避するように選択される、請求項１３の方法。
【請求項１７】
前記第２の所定の時間量は、空のタイムスロットが回避されるように選択される、請求項１４の方法。
【請求項１８】
少なくとも１つの無線通信装置がデータを受信することができるデータ転送速度の表示を受信することをさらに具備する、請求項１１の方法。
【請求項１９】
複数の端末の各々から、データが前記複数の端末の各々に送信されるデータ転送速度の表示を受信することをさらに具備する、請求項１４の方法。
【請求項２０】
前記記憶されたデータの少なくとも一部を送信する前に、情報を少なくとも１つの端末に送信することをさらに具備し、前記情報は、前記少なくとも１つの端末により使用される復調スキームを前記少なくとも１つの端末に示す、請求項１４の方法。
【請求項２１】
下記を具備する、無線通信システムのゲートウエイ：
アンテナに接続され、制御可能な送信電力レベルを供給するように適合された増幅器；
前記増幅器に接続されたコンバーター；
前記コンバーターに接続された復調器バンク；
前記復調器バンクに接続されたベースバンド処理およびネットワークインターフェース；および
前記ベースバンド処理およびネットワークインターフェースに接続された、電力コントローラー、前記電力コントローラーは、少なくとも一部キュー長に基づいて、前記送信電力レベルおよび送信データ転送速度を変更するように適合される；
前記電力コントローラーに接続されたキュー長；および
前記キュー長モニターに接続された送信データキュー。
【請求項２２】
各々が前記電力コントローラーに接続された上限値レジスターおよび下限値レジスターをさらに具備する、請求項２１のゲートウエイ。
【請求項２３】
前記上限値レジスターおよび下限値レジスターはプログラマブルである、請求項２１のゲートウエイ。
【発明の詳細な説明】
【技術分野】
【０００１】
この発明は一般に、データ通信の分野に関し、特に無線データ通信に関する。
【背景技術】
【０００２】
有線および無線の両方を含む、多くの形態のデータ通信システムが長年にわたって開発されてきた。無線通信システムは、地上に送信器および受信器を有した地上波のみのシステム、並びに宇宙ベースのコンポーネントを地上波の送信器および受信器と集積する衛星通信システムの両方を含んでいた。地上波のみのシステムと衛星通信システムの両方は、地球の大部分において複数のユーザーに電子データ通信サービスを供給することを容易にした。無線通信システムを使用する際に、複数のユーザーを容易にするために、複数のアクセススキームを利用してもよい。多元接続スキームの例は、周波数分割単元接続（ＦＤＭＡ）、時分割多元接続（ＴＤＭＡ）、符号分割多元接続（ＣＤＭＡ）、およびそれらの種々のハイブリッドである。
【０００３】
種々の地域における複数のユーザーにデータを効率的に送信するために、データ送信のためのデータ転送速度および／または送信電力はしばしば制御される。データ転送速度および／または送信電力を制御する方法の例は、データ転送速度と送信電力の両方が所定のレベルで固定されてもよい方法を含み、逆もまた同様である。およびデータ転送速度と送信電力の両方を変更してもよい方法も含む。
【０００４】
「平均」電力レベルで送信することは、安定し、干渉において潜在的に低いという利点を有するが、送信されるデータ量に関して最も効率的でないかもしれない。他の近くのセルまたはビームにおいて同じ周波数が再使用される場合、より低い送信電力は、マルチセルまたはマルチビーム通信システムにおいて干渉を低減するのに特に有効である。さらに、「安定した」電力出力を供給することは、干渉レベルの発生を防止または低減する。この干渉レベルは、高いレベルまたは平均より著しく高いレベルであると考えられるレベルである。「安定した」電力出力を供給することは、システム容量を低減する効果を有する。
【０００５】
より高い電力レベルで送信することは、送信データ転送速度の増加を可能にするが、データキューが空になる発生が増加する可能性がある。こうした時に、送信するデータが無い場合、送信電力はゼロである。従って、事実上送信電力は集中的であり、同様に干渉を生じる。
【０００６】
必要なのは、高速データ転送速度送信の要求と、集中的な送信特性の発生を低減することのバランスをとる方法および装置である。
【発明の概要】
【０００７】
要約すれば、この発明の実施形態は、無線通信システムにおいて、送信電力と送信データ転送速度の制御を容易にする。無線通信システムにおいて、送信のためのデータは、データストレージキューにキューイングされ、キュー内のデータ量は、キュー長と呼ばれる値により表される。キュー長が所定の範囲内にあるとき、キューイングされたデータは、第１の電力レベルおよびデータ転送速度で送信される。キュー長が所定の範囲外であると判断されると、送信電力および送信データ転送速度に対する変更が行われる。キュー長が所定の範囲より大きい環境において、送信電力およびデータ転送速度は増加する。キュー長が所定の範囲未満の環境において、送信電力およびデータ転送速度は減少する。
【０００８】
この発明のさらなる観点において、送信電力および送信データ転送速度は、キュー長が所定範囲外にある大きさに少なくとも一部もとづく。
【発明を実施するための最良の形態】
【０００９】
この発明は、同一部に同符号を付した図面に図解される例示実施形態により記載されるであろう、しかしこれらの実施形態に限定するものではない。
【００１０】
以下の記述において、種々の観点が記載されるであろう。しかしながら、種々の実施形態は、いくつかのまたはすべての観点で実施してもよいことは当業者には明白であろう。説明のために、特定の数字、材料および構成が完全な理解のために供給される。しかしながら、種々の実施形態は、特定の詳細無くして実施してもよいことも当業者には明白であろう。他の例において、良く知られた特徴は、この発明を不明瞭にさせないように、省略または簡単化される。
【００１１】
記述の一部は、仕事の実態を他の当業者に伝達するために、当業者により共通に採用される用語を用いて提示されるであろう。また、記述の一部は、プログラミング命令の実行を介して実行される動作に関して提示されるであろう。当業者によく理解されるように、これらの動作はしばしば、記憶し、転送し、結合し、そうでなければ、例えば電気部品を介して操作することができる、電気信号、磁気信号、または光学信号の形態を取る。
【００１２】
本文中における「一実施形態」、「実施形態」、または類似の説明は、実施形態に関連して記載される特定の特徴、構造、または特性は、少なくとも１つの実施形態に含まれている
ことを意味する。従って、本文中におけるそのような言い回しまたは説明の出現は、必ずしもすべてが同じ実施形態を参照しているわけではない。さらに、種々の特定の特徴、構造、または特性は、任意の適切な方法で１つ以上の実施形態において、結合してもよい。
【００１３】
説明に役立つ記述を提供するために、本文中においてキュー長が参照される。キュー長は、データパケット、バイト、ビットまたはキューデータを送信する（すなわち、空にする）時間に関して測定してもよい。キュー長に関連して使用される測定基準は、いかなる方法においてもこの発明を限定するものではないことに留意する必要がある。
【００１４】
この発明の種々の実施形態は、無線通信システムにおいて送信電力およびデータ伝送速度を制御するための有利な方法および装置を提供する。
【００１５】
図１は、この発明の一実施形態の例示動作環境を図解する。図１は、通信衛星を１２０を介してフォワードチャネルデータをユーザー装置に送信するゲートウエイ１１０である。基地局とゲートウエイという用語は、この分野においてしばしば互換性があるものとして使用される。ゲートウエイは、衛星を介して通信を指示する特殊化された基地局として理解され、一方基地局は、周囲の地理的領域内の通信を指示するために地上波アンテナを使用する。また、ユーザー装置は、ときとして、加入者装置、ユーザー端末、アクセス端末、モバイル装置、移動局、または単に、「ユーザー」、「モバイル」、「加入者」等と呼ばれる。ユーザー装置１３０、１４０は、図１に示すように、衛星１２０を介してゲートウエイ１１０にリバースチャネルデータを送信する。
【００１６】
図２は、無線通信装置との関連でこの発明の概観を図解する。無線通信装置２００は、図１に図解される環境のような無線通信環境のコンポーネントであるが、これに限定されるものではない。例えば、無線通信装置２００は、（図１に示す）通信衛星１２０を介してユーザー装置１３０、１４０にフォワードチャネルデータを送信し、また、ユーザーの受信地域内の公衆交換電話網、公有地モバイルネットワーク等のような固定されたネットワークに対するアクセスをユーザー装置１４０に供給するゲートウエイ１１０のコンポーネントであってもよい。データの送信は、これに限定されるものではないが、直交符号コード多重アクセススキームのような種々の多重アクセススキームの形態であってよい。
【００１７】
図２に図解するように、無線通信装置２００は、データキュー２０４を含む。データキュー２０４は、送信のためにデータを送信器２０２に供給する前に送信（ＴＸ）データをキューイングする、すなわち一時記憶する。
【００１８】
一実施形態に従って、無線通信装置２００は、データキュー２０４内のデータのキュー長を監視するためのキュー長モニター２０６を有利に備えている。さらに、送信器２０２は、キュー長モニター２０６により報告されるデータキュー２０４の状態に基づいて、電力供給器に電力制御コマンドを発行するために、電力制御ロジック、すなわち電力コントローラー２０８を備えている。電力供給器は、例えば、可変出力高電力増幅器であってよい。結果として、データは、データキュー２０４内のデータのキュー長に一部基づいて、可変送信電力で送信される。同様に、データ転送速度は、キュー長に応答して調節してもよい。
【００１９】
理解を容易にするために、送信電力は、送信データ転送速度に関連すると仮定される。従って、この記述のために、送信電力の増加は、送信データ転送速度の増加に対応する。同様に、送信電力の減少は、送信データ転送速度の減少に対応する。
【００２０】
以下にさらに詳細に記載するように、電力制御ロジック２０８は、所定の電力レベルであってよい、第１電力レベルでデータを送信することを容易にする。所定の電力レベルは公称伝送速度で効率理的にデータを送信する電力レベルであってよい。従って、説明のために、第１電力レベルは公称電力レベルと呼ばれるであろう。この発明に従って、キュー長の変化を補償するために公称電力レベルを調節することは、電力レベル変動を有利に低減する。
【００２１】
図３は図２をさらに詳細にしたデータキュー２０４を図解する。データキュー２０４は、データのキューイングを容易にし、これに限定されるわけではないが、ファーストインファーストアウト（ＦＩＦＯ）記憶媒体のような記憶媒体のタイプであってよい。そのような記憶媒体は、これらに限定されるものではないが、シフトレジスターのようなシリアルメモリー、スタティックＲＡＭまたはダイナミックＲＡＭのようなランダムアクセスメモリー（ＲＡＭ）を含む。従って、データキュー２０４は、（明示しないが）データを記憶するためのデータバッファーとデータをデータバッファーに書き込むのを制御するための（図示しない）関連する制御回路網を含む。制御回路網は、特に（図２に示す）キュー長モニター２０６を含む。このモニター２０６は、データキュー２０４内のキュー長を報告する能力を供給する。他の実施形態において、キュー長モニターは、キュー長自体よりもむしろ「スピードアップ」または「スローダウン」メッセージを単に報告するだけでもよい。
【００２２】
この発明の種々の実施形態を実施するために、キュー長を決定する任意の適切な使用してもよいことに留意すべきである。限定のためではなく、例証のために、データアイテムがキューに追加されると、カウンターをインクリメントし、データアイテムがキューから送信器に供給されると、ディクリメントしてもよい。他の例において、キューは、ヘッドポインターおよびテールポインターを有する。これらのポインターは現在キューイングされているデータの開始アドレスと終了アドレスを含む。ヘッドアドレスとテールアドレスとの間の差は、これに限定されるわけではないが、デジタル減算のような任意の適切な手段により決定される。ヘッドアドレスとテールアドレスとの間の差は、データキュー２０４に現在キューイングされるデータ量を表す。
【００２３】
上述したように、（図２に示す）電力制御ロジック２０８は、公称電力レベルでデータを送信し、データキュー２０４内のキュー長の変化を補償するために電力レベルを調節するのを容易にする。
【００２４】
図３の実施形態に図解するように、データキュー２０４は物理的に限定されたデータ記憶容量３０２を有する。データ記憶容量は第１部分または範囲３０４、第２部分または範囲３０５、または第３部分または範囲３０６により特徴づけられるように示される。一実施形態において、（範囲外下部）第１部分３０４は、容量３０２のほぼ１／３を占有し、低許容限界値３０８に伸びている。第２部分（公称範囲）は、データ記憶容量３０２のほぼ１／３を占有し、下限値３０８から上限値３１０まで広がっている。第３部分（範囲外、上部）３０６は、データ記憶容量３０２のほぼ残りの１／３を占有し、上限値３１０からデータ記憶容量３０２の程度まで広がっている。下限値３０８および上限値３１０はキュー長のレベルを示す。このレベルより下および上では、電力制御ロジック２０８がアクティブに採用され、送信電力と送信データ転送速度を調節し、下限許容値３０８および上限許容値３１０との間のキュー長を維持する。従って、図３の実例となる実施形態において、第２部分３０５は、公称電力レベル範囲であってよく、この範囲内で、データは、公称電力およびデータ転送速度で送信される。
【００２５】
図３の実例となる実施形態において、キュー長３１４は、公称範囲３０５内にあり、すなわち、キュー長３１４は、下限許容値３０８より大きく、上限許容値３１０未満である。キュー長モニター２０６は、キュー長３１４を電力制御ロジック２０８（両方とも図２に示されている）に報告する。少なくとも一部、公称範囲３０５内の報告されたキュー長３１４に基づいて、電力制御ロジック２０８は、データを公称電力レベルおよびデータ転送速度で送信することを容易にする。公称電力レベルは、送信が発生しようとする、特定の無線通信システムの要件に、少なくとも一部基づいて確立してもよい。公称電力レベルデータを送信するとき、データ送信される転送速度は、公称電力レベルにより許容される最大転送速度（すなわち送信のための公称データ転送速度）であってよい。さらに、実例となる実施形態において、公称電力レベルで送信されるデータは、２以上のタイムスロットに拡散してもよく、それによりデータ送信の空となるかもしれないタイムスロットを持つことを防止する。
【００２６】
さらに記載するように、実施形態に従って、電力レベルは、公称電力レベルから異なる電力レベルに調節して、データキュー２０４内のキュー長の変化を補償するのを容易にしてもよい。
【００２７】
他の実施形態において、電力レベルは、公称電力レベルから異なる電力レベルに調節し、データキュー２０４においてデータを処理するのに必要な時間量を補償するのを容易にしてもよい。例えば、図３において、キュー長３１４は、公称範囲３０５内にあるように示されているけれども、公称電力レベルで送信されるデータのための時間量は（図示しない）受取人により要望される時間よりも長くてもよい。なぜならば、特定の受取人は、公称送信電力が許容する転送速度よりも速い転送速度でデータを受け取ることができるかもしれないからである。すなわち、キューを介したデータ転送に必要な合計時間は受取人の所望の制限を越えてもよい。従って、制御回路網は、また、データキュー２０４を介したデータ転送に必要な時間を計算するための設備を含んでいてもよく、この情報を電力制御ロジック２０８に報告してもよい。データ転送のための報告された時間が、所望レベルを下回るまたは上回るなら、電力制御ロジック２０８は、送信電力および／またはデータ転送速度を調節してもよい。この調節は、送信のためのデータ転送速度を増加または減少するために、所望のレベルを下回るまたは上回る逸脱に少なくとも一部基づく。この発明を説明するために、受取人という用語は、無線通信システム内で送信を受信するユーザー端末を含む。
【００２８】
典型的な実施形態において、公称範囲３０５は、設定を変えることができ、従って、許容限界値３０８および３１０は両方とも設定を変えることができる。そのような設定は、技術的に知られた多数の設定技術の任意の１つを介して容易にしてもよい。
【００２９】
１つの実例となる実施形態において、下限値３０８および上限値３１０の設定可能性に関しては、下限値３０８および上限値３１０は、デジタル値としてレジスターに記憶してもよい。下限値３０８および上限値３１０は、一度だけプログラムしてもよいし、または、複数回再プログラムしてもよい。これは、実施形態の特定の実施に対する種々の設計者により確立された目標に依存する。実例となる実施形態において、キュー長が公称範囲３０５内にあるかどうかについての判断は、キュー長を下限値３０８および上限値３１０と比較することにより行うことができる。一実施形態において、キュー長が上限値未満で、かつ下限値より大きければ、キュー長は、公称範囲内にあると判断され、送信電力およびデータ転送速度に対する変更は、必要があるとは思われない。キュー長が上限値より大きいか、または下限値未満なら、この発明に従って、送信電力およびデータ転送速度に対して調節が行われる。当業者は、上述したアーキテクチャーおよび方法に対して多数の類似の変形例があることを認識するであろう。
【００３０】
図４は、一実施形態に従って、さらに詳細に、（図２に示す）電力制御ロジック２０８の関連する方法の動作フローを図解する。ブロック４０２において、電力制御ロジック２０８は、少なくとも一部、第１の時におけるキュー長に基づいて、第１電力レベルでのデータの送信を容易にする。上述したように、第１の時におけるキュー長３１４は、望ましくは、（図３に示す）公称範囲３０５内にあり、結果として第１電力レベルは公称電力レベルである。
【００３１】
ブロック４０４において、電力制御ロジック２０８は、第２の時において、キュー長が公称範囲３０５内か範囲外かを判断する。キュー長が公称範囲外であると判断されるなら、電力制御ロジック２０８は、続いて、キュー長が下限値３０８を下回るかまたは上限値３１０を上回るかをブロック４０６において判断する。しかしながら、キュー長が公称範囲３０５内であるなら、電力制御ロジック２０８は、公称電力レベルでデータの送信を継続する。
【００３２】
第２の時において、キュー長が上限許容値３１０を上回るなら、電力制御ロジック２０８は、ブロック４０８において、増加したデータ転送速度でデータを送信するように送信電力の調節を開始する。すなわち、公称送信電力は、増加したデータ送信転送速度に一致する増加した電力レベルに調節してもよい。増加した送信データ転送速度は、次には、データキュー２０４内のキュー長を低減するように動作する。増加した電力レベルは、データキュー２０４内のキュー長を公称範囲３０５内（すなわち、上限値３１０を下回り、下限値３０８を上回る）に戻すのに有効なデータ送信の転送速度での増加に比例していてもよい。比例は、キュー長が上限許容値３１０を上回る量に、少なくとも一部基づいていてもよい。
【００３３】
他方では、第２の時において、キュー長が下限許容値３０８を下回るなら、電力制御ロジック２０８は、ブロック４１０において、第１電力レベルより低い減少された送信電力でデータの送信を開始する。減少した電力レベルと、関連するデータ転送速度の低減は、データキュー２０４のキュー長が成長して公称範囲３０５に戻ることを可能にし、それにより、結果として送信電力をゼロにする空のキューを持つ望ましくない状況を回避する。減少した電力レベルは、データキュー２０４内のキュー長を公称範囲（すなわち、下限値３０８を上回り、上限値３１０を下回る）に戻すのに適切なデータ送信の転送速度の減少に比例していてもよい。この比例は、キュー長が下限値３０８を下回る量に少なくとも一部基づいていてもよい。
【００３４】
さらに、上述した電力レベルの変化は、キュー長を公称範囲に戻すのに必要なキュー長に関連して、線形であってもよいし、非線形であってもよいし、または設定可能であってもよい、等々である。従って、図４の実例となる実施形態において、電力レベルが増加または減少すると、キュー長が公称範囲内かまたは公称範囲外かがブロック４０４で再び判断される。
【００３５】
結果として、データを送信するために利用される電力レベルは、有利に制御され、送信電力変動が低減される。
【００３６】
図１乃至図３に図解される実施形態は、多数の実装時固有事項を含む。他の実施形態は、更なるエレメントを含んでいてもよいし、すべての図解したエレメントを含んでいなくてもよいし、１つ以上のエレメントを結合してもよいし、１つ以上のエレメントに分離してもよいし、エレメントを異なる配置または順序、等に構成してもよい。さらに、この発明の種々の実施の形態は、計算リソースを利用して上述の機能を実行する。
【００３７】
図５は、例示ゲートウエイを示す。この中に、この発明の実施形態を実施してもよい。例示ゲートウエイ５００は、アンテナ５１８、増幅器５１２、および５１６、フィードシステムおよびアンテナ制御５１４、アップ／ダウンコンバーター５０８および５１０、変調器／復調器５０４および５０６、およびベースバンド処理およびネットワークインターフェース５０２を含む。特に、ベースバンド処理およびネットワークインターフェース５０２は、この発明のキュー長に基づいたデータ送信制御を含む。
【００３８】
送信データは、ベースバンドプロセッサーおよびネットワークインターフェース５０２により受信され、処理され、および符号化され、次に、変調器５０６により信号上に変調される。変調された信号は、アップコンバーター５０８によりアップコンバートされ、高電力増幅器５１２を介して増幅される。次に、増幅された信号は、送信のために、フィードシステムおよびアンテナ制御５１４を介してアンテナ５１８に供給される。
【００３９】
受信した信号は、低雑音増幅器５１６により増幅される。次に、増幅された信号は、ダウンコンバーター５１０によりダウンコンバートされ、復調器５０６により復調される。復調された信号から回復されたデータは、ベースバンドプロセッサーおよびネットワークインターフェース５０２により処理され、ゲートウエイ５００が一部である通信システムの他のエレメントに供給される。
【００４０】
この発明の開示と合併されるベースバンドプロセッサーおよびネットワークインターフェース５０２を除いて、他の列挙されるエレメントは、技術的に知られている広範囲のそのようなエレメントを表す。さらに、基地局のような他のゲートウエイまたはゲートウエイのような装置は、おおよそこれらのエレメントを有していてもよく、またはこれらのエレメントのいくつかは他の均等エレメントと置換してもよい。
【００４１】
他の実施形態において、この発明は、ディスクリートハードウエアまたはソフトウエアで実現してもよい。例えば、１つ以上の特定用途向け沖積回路（ＡＳＩＣｓ）は、この発明の上述した機能の１つ以上を用いてプログラムするということもあり得る。他の例において、この発明の１つ以上の機能は、さらなる回路基板上の１つ以上のＡＳＩＣｓで実現することもあり得る。そして、回路基板を、上述したコンピューター（複数の場合もある）に介挿することもあり得る。他の例において、フィールドプログラマブルゲートアレイ（ＦＰＧＡｓ）、または類似の装置を用いて、この発明の１つ以上の機能を実現することもあり得る。さらに、他の例において、ハードウエアとソフトウエアの組み合わせを用いてこの発明の１つ以上の機能を実現することもあり得る。
【００４２】
他の代わりの実施形態において、記憶されたデータの少なくとも一部を送信する前に、情報は、どの復調スキームを少なくとも１つの端末により使用するかを少なくとも１つの端末に示す少なくとも１つの端末に送信される。このようにして、この発明のキュー長管理に従って、送信データ転送速度を変更することと一致するいろいろな変調スキームを使用することができる。
【００４３】
以上、無線通信システムにおける送信電力および／またはデータ転送速度を制御するための有利な方法および装置を記載した。この発明の多くの変更および変形が、上述の記載を読んだ後で当業者により理解されるであろうのに対して、実例により図示し記載した特定の実施形態は限定すると考えることを意図するものではない。それゆえ、特定の実施形態の詳細への参照は、クレームの範囲を限定することを意図しない。
【００４４】
この発明は、上述した実施形態に限定されず、追加されたクレームおよびそれらの均等物内の任意のおよびすべての実施形態を含むと理解されるべきである。
【図面の簡単な説明】
【００４５】
【図１】図１は、この発明の一実施形態のための例示動作環境を図解する。
【図２】図２は、無線通信システムとの関連において、この発明の概観を図解する。
【図３】図３は、図２のデータキュー２０４を図解する。
【図４】図４は、この発明に従う電力制御の例示方法の動作フローを図解する。
【図５】図５は、この発明の実施形態を実施してもよい例示ゲートウエイを図解する。
【図１】
2005534232.tif 000003
【図２】
2005534232.tif 000004
【図３】
2005534232.tif 000005
【図４】
2005534232.tif 000006
【図５】
2005534232.tif 000007
【国際調査報告】
2005534232.tif 000008
2005534232.tif 000009
2005534232.tif 000010